(57)【要約】  飲用可能な飲料を調製するように物質を収容しているカプセルであって、側壁と、外向きに延びるフランジと、外向きに延びるフランジにある、飲料調製装置の囲み部材と流体封止接触をもたらすための封止部材と、を有する、アルミニウムカプセル本体を有する、カプセル。この飲料調製装置は、半径方向に延びる複数の開放溝を備えてもよい自由接触端を有する環状要素を含む。封止部材は外向きに延びるフランジと一体であり、かつ、突起部を備える。内側突起部足部と側壁との間の環状トラフが、外側突起部足部からカプセル本体の底部に向かって軸線方向に間隔が空いている底部を有する。【選択図】なし【特許請求の範囲】
【請求項１】
加圧下で流体をカプセル内へ供給することにより物質を抽出及び／又は溶解することによって飲用可能な飲料を調製するための物質を収容するカプセルであって、前記カプセルは、カプセル本体中心軸線を有するアルミニウムカプセル本体を備え、前記アルミニウムカプセル本体は、底部、側壁、及び外向きに延びるフランジを備え、前記カプセルは、前記外向きに延びるフランジに取り付けられたアルミニウム蓋を更に備え、前記蓋は、前記カプセルを密封して閉じており、前記カプセルは、前記外向きに延びるフランジに封止部材を更に備え、前記封止部材は、前記カプセルが前記飲料調製装置の囲み部材内に位置決めされ、前記囲み部材が前記飲料調製装置の抽出プレートなどの前記飲料調製装置の閉じ部材によって閉鎖された場合、前記カプセルの前記外向きに延びるフランジ及び前記カプセルの封止部材の少なくとも一部分が前記飲料調製装置の前記囲み部材と前記閉じ部材との間に封止的に係合されるように、飲料調製装置の囲み部材との流体封止接触をもたらし、前記飲料調製装置の前記囲み部材は、環状要素中心軸線と自由接触端とを有する環状要素を備え、前記環状要素の前記自由接触端は、複数の半径方向に延びる開放溝を任意選択的に備えた、カプセルにおいて、前記封止部材は、前記外向きに延びるフランジと一体であり、環状突起部を備え、前記環状突起部は、内側フランジ部分の半径方向外側に内側突起部足部から前記カプセル本体底部に向かって軸線方向に突出する突起部頂部と、外側フランジ部分の半径方向内側の外側突起部足部とを備え、前記外向きに延びるフランジは、前記内側突起部足部と前記側壁との間に環状トラフを備え、前記環状トラフは、前記外側突起部足部から前記カプセル本体の前記底部に向かって軸線方向に間隔が空いている底部を有することを特徴とする、カプセル。
【請求項２】
前記カプセル本体軸線を通る平面に沿って切り取った断面で見ると、前記トラフの前記底部は、連続して実質的に直線であり、又は前記突起部及び前記側壁への遷移部の曲率半径よりも大きい曲率半径で湾曲している、請求項１に記載のカプセル。
【請求項３】
前記トラフの前記底部の直線区分が、軸線方向成分が前記カプセル本体の前記底部の方を向いた状態で、外向き方向に傾斜している、請求項２に記載のカプセル。
【請求項４】
前記底部は、前記カプセル本体軸線に垂直な平面に対して０〜１０度の内角で傾斜している、請求項３に記載のカプセル。
【請求項５】
前記カプセル本体軸線を通る平面に沿って切り取った断面で見ると、前記トラフの前記底部から前記突起部への遷移部は、前記傾斜区分の内側及び外側の隣接する湾曲区分よりも直線の傾斜区分を有する、請求項１〜４のいずれか一項に記載のカプセル。
【請求項６】
前記傾斜区分は、前記カプセル本体軸線に垂直な平面に対して少なくとも１０°、より好ましくは少なくとも２０°、多くとも６０°、より好ましくは多くとも５０°の内角で配向された、請求項５に記載のカプセル。
【請求項７】
前記突起部の半径方向外壁は、前記カプセル本体軸線に対して８°未満、より好ましくは６°未満の内角で配向され、前記突起部の前記外側足部で、前記突起部から前記外向きに延びるフランジの半径方向外向きに突出する部分への遷移部の内径は、好ましくは、０．１５ｍｍ未満、より好ましくは０．１２ｍｍ未満である、請求項１〜６のいずれか一項に記載のカプセル。
【請求項８】
前記外向きに延びるフランジは、１つの環状突起部だけを有し、前記環状突起部は、内側フランジ部分の半径方向外側に内側突起部足部から前記底部に向かって軸線方向に突出する突起部頂部と、外側フランジ部分の半径方向内側の外側突起部足部とを備えた、請求項１〜７のいずれか一項に記載のカプセル。
【請求項９】
前記少なくとも１つの突起部は、前記カプセルが前記飲料調製装置の前記囲み部材内に位置決めされ、前記囲み部材が前記飲料調製装置の前記閉じ部材によって閉鎖された場合に、その突起部頂部が前記環状要素の前記自由接触端に半径方向外向きの力をかけるように構成された、請求項１〜８のいずれか一項に記載のカプセル。
【請求項１０】
前記トラフの前記底部は、前記蓋から軸線方向に間隔が空いている、請求項１〜９のいずれか一項に記載のカプセル。
【請求項１１】
前記蓋は、前記トラフの前記底部に取り付けられた、請求項１〜９のいずれか一項に記載のカプセル。
【請求項１２】
前記封止部材は、使用中、前記囲み部材の閉鎖により前記外側突起部足部と前記トラフの前記底部との間の軸線方向の間隔が小さくなるように変形可能である、請求項１〜１１のいずれか一項に記載のカプセル。
【請求項１３】
前記封止部材は、使用中、前記囲み部材の閉鎖により前記外側突起部足部と前記トラフの前記底部との間の軸線方向の間隔が無くなるように、変形可能である、請求項１２に記載のカプセル。
【請求項１４】
前記突起部頂端は、直径３１．９〜３２．４ｍｍでカプセル軸線の周りに延びた、請求項１〜１３のいずれか一項に記載のカプセル。
【請求項１５】
前記突起部は、前記カプセル本体軸線に対して８°未満、好ましくは６°未満又は４°未満の内角で延びる概ね内向きの表面部分を有する、請求項１〜１４のいずれか一項に記載のカプセル。
【請求項１６】
前記突起部及び前記トラフの前記底部は、前記カプセルが前記囲み部材内に位置決めされ、前記囲み部材が前記閉じ部材によって閉鎖された場合、前記環状要素の前記自由接触端が前記トラフの前記底部に接触するように配置された、請求項１〜１５のいずれか一項に記載のカプセル。
【請求項１７】
前記カプセルは、前記カプセルが前記囲み部材内に位置決めされ、前記囲み部材が前記閉じ部材によって閉じられているときに、前記囲み部材のための支承部を備え、前記支承部は少なくとも前記突起部によって形成されている、請求項１から１０のいずれか一項に記載のカプセル。
【請求項１８】
前記突起部は、軸線方向に圧縮されると、前記環状要素の自由端の外向きに面する表面と接触したまま、半径方向外向きに逃げて座屈するような形状となっている、請求項１から１１のいずれか一項に記載のカプセル。
【請求項１９】
前記カプセルは、飲用可能な飲料を調製するための物質として抽出可能な製品を収容し、前記抽出可能な製品は、好ましくは、５〜２０グラム、好ましくは５〜１０グラム、より好ましくは５〜７グラムの焙煎され挽かれたコーヒーである、請求項１〜１８のいずれか一項に記載のカプセル。
【請求項２０】
前記カプセルの前記外向きに延びるフランジの外径は、前記カプセルの前記底部の直径よりも大きい、
請求項１から１２のいずれか一項に記載のカプセル。
【請求項２１】
前記外向きに延びるフランジの前記外径は約３７．１ｍｍであり、前記カプセルの前記底部の前記直径は約２３．３ｍｍである、請求項１〜２０のいずれか一項に記載のカプセル。
【請求項２２】
前記カプセルが前記飲料調製装置の前記囲み部材内に位置決めされ、前記囲み部材が前記飲料調製装置の前記閉じ部材によって閉じられるときに、前記アルミニウムカプセル本体が容易に変形するように、好ましくは前記アルミニウムカプセル本体の厚さは、２０〜２００マイクロメートルであり、好ましくは１００マイクロメートルである、請求項１〜２０のいずれか一項に記載のカプセル。
【請求項２３】
前記アルミニウム蓋の厚さは、１５〜６５マイクロメートル、好ましくは３０〜４５マイクロメートル、及びより好ましくは３９マイクロメートルである、請求項１から１５のいずれか一項に記載のカプセル。
【請求項２４】
前記アルミニウム蓋の壁厚は、前記アルミニウムカプセル本体の壁厚よりも薄い、請求項１から１６のいずれか一項に記載のカプセル。
【請求項２５】
前記アルミニウム蓋は、前記カプセル内の流体圧の影響下で、前記飲料調製装置の抽出プレートなどの前記飲料調製装置の前記閉じ部材上で裂開されるように構成されている、請求項１から１７のいずれか一項に記載のカプセル。
【請求項２６】
前記アルミニウムカプセル本体の前記側壁は、前記底部の反対側にある自由端を有し、前記外向きに延びるフランジは、前記カプセル本体中心軸線を少なくとも実質的に横断する方向に前記側壁の前記自由端から延びた、請求項１〜２５のいずれか一項に記載のカプセル。
【請求項２７】
前記外向きに延びるフランジは、丸められた外縁部を備えた、請求項１〜２６のいずれか一項に記載のカプセル。
【請求項２８】
前記カプセル本体中心軸線の周りの前記外向きに延びるフランジの前記丸められた外縁部の内縁部の半径は、少なくとも３２ｍｍである、請求項２７に記載のカプセル。
【請求項２９】
前記封止部材は、前記アルミニウムカプセル本体の前記側壁の前記自由端と、前記外向きに延びるフランジの前記丸められた外縁部の内縁部との間に位置決めされた、請求項２６〜２８のいずれか一項に記載のカプセル。
【請求項３０】
前記外向きに延びるフランジの前記丸められた外縁部の最大寸法は、約１．２ミリメートルである、請求項２７〜２９のいずれか一項に記載のカプセル。
【請求項３１】
前記アルミニウムカプセル本体の前記側壁の前記自由端の内径は、約２９．５ｍｍである、請求項２６に記載のカプセル。
【請求項３２】
前記アルミニウムカプセル本体の前記側壁の前記自由端と、前記外向きに延びるフランジの最外縁部との間の距離は、約３．８ミリメートルである、請求項２６に記載のカプセル。
【請求項３３】
前記アルミニウムカプセル本体の高さは、約２８．４ｍｍである、請求項１〜３２のいずれか一項に記載のカプセル。
【請求項３４】
前記アルミニウムカプセル本体は切頭形であり、好ましくは前記アルミニウムカプセル本体の前記側壁は前記カプセル本体中心軸線を横断する線に対して約９７．５°の角度を形成している、請求項１から１９のいずれか一項に記載のカプセル。
【請求項３５】
前記アルミニウムカプセル本体の前記底部の最大内径は、約２３．３ｍｍである、請求項１〜３４のいずれか一項に記載のカプセル。
【請求項３６】
前記アルミニウムカプセル本体の前記底部は、切頭形であり、好ましくは約４．０ｍｍの底部高さを有し、前記底部は、前記蓋の反対側に約８．３ｍｍの直径を有する概ね平らな中心部分を更に有する、請求項３５に記載のカプセル。
【請求項３７】
前記包囲部材が閉じられているときに前記包囲部材の前記自由端が最初に接触する封止部材部分の高さは、少なくとも約０．１ｍｍ、より好ましくは少なくとも０．２ｍｍ、及び最も好ましくは少なくとも０．８ｍｍであり、最大３ｍｍ、より好ましくは最大２ｍｍ、及び最も好ましくは最大１．２ｍｍである、請求項１から２０のいずれか一項に記載のカプセル。
【請求項３８】
前記カプセルは内側表面を含み、前記カプセルの少なくとも前記側壁の前記内側表面に内側コーティングが施されている、請求項１から２１のいずれか一項に記載のカプセル。
【請求項３９】
前記カプセルの前記アルミニウム蓋は、封止ラッカによって前記外向きに延びるフランジに取り付けられ、前記内側コーティングは、前記封止ラッカと同じ材料から構成されている、請求項３８に記載のカプセル。
【請求項４０】
前記封止部材は、内側コーティングを含まない、請求項３８又は３９に記載のカプセル。
【請求項４１】
前記カプセルは外側表面を備え、前記カプセルの前記外側表面にカラーラッカが施されている、請求項１から２３のいずれか一項に記載のカプセル。
【請求項４２】
前記カラーラッカの外面上に、外側コーティングが施されている、請求項４１に記載のカプセル。
【請求項４３】
前記封止部材は、カラーラッカを含まない、請求項４１又は４２に記載のカプセル。
【請求項４４】
前記突起部、前記アルミニウムカプセル本体の前記側壁、及び前記トラフの前記底部は、前記カプセルが前記飲料調製装置の前記囲み部材内に位置決めされ、前記囲み部材が前記飲料調製装置の前記閉じ部材によって閉鎖された場合、前記環状要素の前記自由接触端が前記トラフの前記底部に接触するように配置された、請求項１〜４３のいずれか一項に記載のカプセル。
【請求項４５】
封止構造は、使用中に前記飲料調製装置の前記囲み部材内の最大流体圧力が６〜２０バール、好ましくは１２〜１８バールの範囲内である場合、前記突起部が前記環状要素の前記自由接触端の少なくとも一部分に流体封止接触するように変形可能である、請求項１〜４４のいずれか一項に記載のカプセル。
【請求項４６】
前記封止構造は、淹出中、前記環状要素の前記自由接触端が、前記カプセルの前記封止構造に力Ｆ２をかけた場合、前記突起部が前記環状要素の前記自由接触端の少なくとも一部分に流体封止接触するように変形可能であり、前記カプセル外側の前記囲み部材内の前記流体圧力Ｐ２が６〜２０バール、好ましくは１２〜１８バールの範囲内であるとき、Ｆ２は、５００〜１５００Ｎの範囲内、好ましくは７５０〜１２５０Ｎの範囲内である、請求項１〜４５のいずれか一項に記載のカプセル。
【請求項４７】
前記封止構造は、使用中、淹出する前又は淹出開始時に、前記環状要素の前記自由接触端が前記カプセルの前記封止構造に力Ｆ１をかけた場合、前記突起部が前記環状要素の前記自由接触端の少なくとも一部分に流体封止接触するように変形可能であり、前記カプセル外での前記飲料調製装置の前記囲み部材内の前記流体圧力Ｐ１が０．１〜４バール、好ましくは０．１〜１バールの範囲内であるとき、前記力Ｆ１は、３０〜１５０Ｎ、好ましくは４０〜１５０Ｎ、より好ましくは５０〜１００Ｎの範囲内である、請求項１〜４６のいずれか一項に記載のカプセル。
【請求項４８】
前記封止構造は、前記封止構造に押圧される前記環状要素の前記自由接触端が、前記環状要素の前記自由接触端の円周方向に互いに対して均一に間隔を空けて配置された、複数の半径方向に延びる開放溝を有する場合、前記突起部が前記環状要素の前記自由接触端の少なくとも一部分に流体封止接触するように変形可能である、請求項１〜４７のいずれか一項に記載のカプセル。
【請求項４９】
前記封止構造は、前記溝のそれぞれの最大幅が０．９〜１．１ｍｍ、好ましくは０．９５〜１．０５ｍｍ、より好ましくは０．９８〜１．０２ｍｍである場合、前記突起部が前記環状要素の前記自由接触端の少なくとも一部分に封止接触するように変形可能であり、前記飲料調製装置の前記囲み部材の軸線方向における前記溝のそれぞれの最大高さは、０．０１〜０．０９ｍｍ、好ましくは０．０３〜０．０７ｍｍ、より好ましくは０．０４５〜０．０５５ｍｍ、最も好ましくは０．０５ｍｍであり、前記溝の数は、９０〜１１０本、好ましくは９６本である、請求項１〜４８のいずれか一項に記載のカプセル。
【請求項５０】
前記封止構造及び前記カプセル本体の残部は、同じプレート材料から作られている、請求項１から２９のいずれか一項に記載のカプセル。
【請求項５１】
加圧下でカプセル内へ供給される流体を使用してカプセルから飲用可能な飲料を調製するシステムであって、
前記カプセルを受け入れる囲み部材を備える飲料調製装置であって、前記囲み部材は、加圧下で流体を前記カプセル内へ供給する流体注入手段を備え、前記飲料調製装置は、前記飲料調製装置の前記囲み部材を閉鎖する抽出プレートなどの閉じ部材を更に備え、前記飲料調製装置の前記囲み部材は、環状要素中心軸線と自由接触端とを有する環状要素を更に備え、前記環状要素の前記自由接触端は、複数の半径方向に延びる開放溝を任意選択的に備えた、飲料調製装置と、
請求項１〜５０のいずれか一項に記載のカプセルと、
を備えたシステム。
【請求項５２】
前記環状要素の前記自由接触端部分は、前記カプセルが前記囲み部材内に位置決めされ、前記囲み部材が前記閉じ部材によって閉鎖された場合、前記突起部に接触する外周面部分を有し、前記半径方向に延びる開放溝は、前記外面部分よりも内面部分内で深くなっており、又は前記外面部分内に前記半径方向に延びる開放溝がない、請求項５１に記載のシステム。
【請求項５３】
前記トラフの半径方向幅が、前記環状要素の前記自由接触端部分の半径方向の厚さよりも実質的に大きく、したがって前記環状要素の前記自由接触端部分と前記カプセル本体の前記側壁との間に隙間が残る、請求項５１又は５２に記載のシステム。
【請求項５４】
前記カプセルは、請求項１５に記載のカプセルであり、前記環状要素は、前記概ね内向きの表面部分を変形させるように配置された、請求項５１〜５３のいずれか一項に記載のシステム。
【請求項５５】
前記カプセルは、請求項１８に記載のカプセルであり、前記環状要素は、外側隆起と内側隆起との間に１つ以上架橋部を有し、前記架橋部又は各架橋部は、前記外側隆起と前記内側隆起との間の環状空間の中断部を構成している、請求項５１〜５４のいずれか一項に記載のシステム。
【請求項５６】
使用中に前記飲料調製装置の前記囲み部材内の最大流体圧力は、６〜２０バール、好ましくは１２〜１８バールの範囲内である、請求項５１〜５５のいずれか一項に記載のシステム。
【請求項５７】
前記システムは、使用中、淹出中に、前記飲料調製装置の前記囲み部材の自由端が、前記カプセルの前記封止部材に力Ｆ２をかけて、前記カプセルの前記外向きに延びるフランジと前記飲料調製装置の前記囲み部材との間の流体封止接触をもたらすように配置され、前記カプセル外側の前記前記飲料調製装置の前記囲み部材内の前記流体圧力Ｐ２が６〜２０バール、好ましくは１２〜１８バールの範囲内であるとき、Ｆ２は、５００〜１５００Ｎの範囲内、好ましくは７５０〜１２５０Ｎの範囲内である、請求項５１〜５６のいずれか一項に記載のシステム。
【請求項５８】
前記システムは、使用中、淹出する前又は淹出開始時に、前記飲料調製装置の前記囲み部材の自由端が、前記カプセルの前記封止部材に力Ｆ１をかけて、前記カプセルの前記外向きに延びるフランジと前記飲料調製装置の前記囲み部材との間の流体封止接触をもたらすように配置され、前記カプセル外側の前記飲料調製装置の前記囲み部材内の前記流体圧力Ｐ１が０．１〜４バール、好ましくは０．１〜１バールの範囲内であるとき、Ｆ１は、３０〜１５０Ｎ、好ましくは４０〜１５０Ｎ、より好ましくは５０〜１００Ｎの範囲内である、請求項５１〜５７のいずれか一項に記載のシステム。
【請求項５９】
前記複数の半径方向に延びる開放溝は、前記飲料調製装置の前記環状要素の前記自由接触端の接線方向に、互いに対して均一に間隔を空けて配置されている、請求項５１〜５８のいずれか一項に記載のシステム。
【請求項６０】
前記環状要素の自由接触端は、複数の半径方向に延びる開放溝を備え、各溝の最大幅は、０．９〜１．１ｍｍ、好ましくは０．９５〜１．０５ｍｍ、より好ましくは０．９８〜１．０２ｍｍであり、前記飲料調製装置の前記囲み部材の軸線方向における各溝の最大高さは、０．０１〜０．０９ｍｍ、好ましくは０．０３〜０．０７ｍｍ、より好ましくは０．０４５〜０．０５５ｍｍ、最も好ましくは０．０５ｍｍであり、溝の数は、９０〜１１０本、好ましくは９６本であり、任意選択的に前記溝の位置における前記自由接触端の半径方向幅は、０．０５〜０．９ｍｍ、好ましくは０．２〜０．７ｍｍ、より好ましくは０．３〜０．５５ｍｍである、請求項５１〜５９のいずれか一項に記載のシステム。
【請求項６１】
使用中、前記飲料調製装置の前記閉じ部材が前記飲料調製装置の前記囲み部材を閉鎖するとき、少なくとも前記飲料調製装置の前記囲み部材の前記自由接触端は、前記飲料調製装置の前記閉じ部材の方への前記飲料調製装置の前記囲み部材内の前記流体の圧力の影響下で、前記カプセルの前記フランジと前記飲料調製装置の前記囲み部材の前記自由端との間に最大の力を加えるように、前記飲料調製装置の前記閉じ部材に対して動くことができ、任意選択的に前記囲み部材は、第１の部分及び第２の部分を備え、前記第２の部分は、前記囲み部材の前記自由接触端を備え、前記第２の部分は、第１の位置と第２の位置との間で前記第１の部分に対して動くことができ、前記第２の部分は、前記囲み部材内の流体圧力の影響下で前記閉じ部材の方向に前記第１の位置から前記第２の位置の方へ動くことができ、任意選択的に前記第２の部分が請求項５８に記載の前記囲み部材内の流体圧力Ｐ１で前記第１の位置にある場合、請求項５８に記載の前記力Ｆ１に到達し、任意選択的に前記第２の部分が請求項５９に記載の前記囲み部材内の前記流体圧力Ｐ２の影響下で前記第２の位置の方へ動かされた場合、請求項５９に記載の前記力Ｆ２に到達する、請求項５１〜６０のいずれか一項に記載のシステム。
【請求項６２】
使用中、前記飲料調製装置の前記閉じ部材が前記飲料調製装置の前記囲み部材を閉鎖するとき、前記飲料調製装置の前記囲み部材は、前記飲料調製装置の前記閉じ部材に向かう前記飲料調製装置の前記囲み部材内の前記流体の前記圧力の影響下で、前記カプセルの前記フランジと前記飲料調製装置の前記囲み部材の前記自由端との間に最大の力を加えるように、前記飲料調製装置の前記閉じ部材に対して動くことができる、請求項５１〜６１のいずれか一項に記載のシステム。
【請求項６３】
カプセルを受け入れる囲み部材を備える飲料調製装置における請求項１〜５０のいずれか一項に記載のカプセルの使用であって、前記囲み部材は、加圧下で流体を前記カプセル内へ供給する流体注入手段を備え、前記飲料調製装置は、前記飲料調製装置の前記囲み部材を閉鎖する抽出プレートなどの閉じ部材を更に備え、前記飲料調製装置の前記囲み部材は、環状要素中心軸線と自由接触端とを有する環状要素を更に備え、前記環状要素の前記自由接触端は、複数の半径方向の溝を任意選択的に備え、前記カプセルは、前記飲料調製装置の前記流体注入手段によって加圧下で前記カプセル内へ供給される前記流体により物質を抽出及び／又は溶解することによって飲用可能な飲料を調製するための物質を収容し、前記カプセルは、カプセル本体中心軸線を有するアルミニウムカプセル本体を備え、前記アルミニウムカプセル本体は、底部、側壁、及び外向きに延びるフランジを備え、前記カプセルは、前記外向きに延びるフランジに取り付けられたアルミニウム蓋を更に備え、前記蓋は、前記カプセルを密封して閉じており、前記カプセルは、前記外向きに延びるフランジと一体の封止部材を更に備え、前記封止部材は、前記カプセルが前記飲料調製装置の前記囲み部材内に位置決めされ、前記囲み部材が前記閉じ部材によって閉鎖された場合、前記カプセルの前記外向きに延びるフランジ及び前記カプセルの前記封止部材の少なくとも一部分が前記飲料調製装置の前記囲み部材と前記閉じ部材との間に封止的に係合されるように、前記飲料調製装置の前記囲み部材との流体封止接触をもたらす、使用。
【請求項６４】
使用中に前記飲料調製装置の前記囲み部材内の最大流体圧力は、６〜２０バール、好ましくは１２〜１８バールの範囲内である、請求項６３に記載の使用。
【請求項６５】
使用中、淹出中に、前記飲料調製装置の前記囲み部材の自由端が、前記カプセルの前記封止部材に力Ｆ２をかけて、前記カプセルの前記外向きに延びるフランジと前記飲料調製装置の前記囲み部材との間の流体封止接触をもたらし、前記カプセル外側の前記飲料調製装置の前記囲み部材内の前記流体圧力Ｐ２が６〜２０バール、好ましくは１２〜１８バールの範囲内であるとき、Ｆ２は、５００〜１５００Ｎの範囲内、好ましくは７５０〜１２５０Ｎの範囲内であり、前記流体封止接触が存在する、請求項６３又は６４に記載の使用。
【請求項６６】
使用中、淹出する前又は淹出開始時に、前記飲料調製装置の前記囲み部材の自由端は、前記カプセルの前記封止部材に力Ｆ１をかけて、前記カプセルの前記外向きに延びるフランジと前記飲料調製装置の前記囲み部材との間の流体封止接触をもたらし、前記カプセル外側の前記飲料調製装置の前記囲み部材内の前記流体圧力Ｐ１が０．１〜４バール、好ましくは０．１〜１バールの範囲内であるとき、Ｆ１は、３０〜１５０Ｎ、好ましくは４０〜１５０Ｎ、より好ましくは５０〜１００Ｎの範囲内であり、前記流体封止接触が存在する、請求項６３〜６５のいずれか一項に記載の使用。
【請求項６７】
前記複数の半径方向に延びる開放溝は、前記飲料調製装置の前記環状要素の前記自由接触端の接線方向に、互いに対して均一に間隔を空けて配置されている、請求項６３〜６６のいずれか一項に記載の使用。
【請求項６８】
前記環状要素は、前記突起部を外向きに付勢している、請求項６３〜６７のいずれか一項に記載の使用。
【請求項６９】
前記トラフの前記底部は、前記囲み部材が閉鎖されると、前記環状要素によって軸線方向に変位され、前記突起部を傾け、前記環状要素の前記自由端に対して内向きに逃げるように付勢される、請求項６３〜６８のいずれか一項に記載の使用。
【請求項７０】
前記囲み部材の閉鎖により、前記外側突起部足部と前記トラフの前記底部との間の軸線方向の間隔が小さくなるか又は無くなる、請求項６３〜６９のいずれか一項に記載の使用。
【請求項７１】
請求項５５に記載のシステムが使用され、前記突起部は、前記架橋部によって圧縮されると半径方向外向きに逃げて座屈する、請求項６３〜７０のいずれか一項に記載の使用。
【発明の詳細な説明】
【技術分野】
【０００１】
本発明は、加圧下で流体をカプセル内へ供給することにより物質を抽出及び／又は溶解することによって飲用可能な飲料を調製するための物質を収容するカプセルに関し、カプセルは、カプセル本体中心軸線を有するアルミニウムカプセル本体を備え、アルミニウムカプセル本体は、底部、側壁、及び外向きに延びるフランジを備え、カプセルは、外向きに延びるフランジに取り付けられたアルミニウム蓋を更に備え、蓋は、カプセルを密封して閉鎖し、カプセルは、外向きに延びるフランジに封止部材を更に備え、封止部材は、カプセルが飲料調製装置の囲み部材内に位置決めされ、囲み部材が飲料調製装置の抽出プレートなどの飲料調製装置の閉じ部材によって閉鎖された場合、カプセルの外向きに延びるフランジ及びカプセルの封止部材の少なくとも一部分が飲料調製装置の囲み部材と閉じ部材との間に封止的に係合されるように、飲料調製装置の囲み部材との流体封止接触をもたらし、飲料調製装置の囲み部材は、環状要素中心軸線と自由接触端とを有する環状要素を備え、環状要素の自由接触端は、複数の半径方向に延びる開放溝を任意選択的に備える。
【０００２】
本発明はまた、加圧下でカプセル内へ供給される流体を使用してカプセルから飲用可能な飲料を調製するシステムに関し、このシステムは、カプセルを受け入れる囲み部材を備える飲料調製装置であって、囲み部材が、加圧下で流体をカプセル内へ供給する流体注入手段を備え、飲料調製装置が、飲料調製装置の囲み部材を閉鎖する抽出プレートなどの閉じ部材を更に備え、飲料調製装置の囲み部材が、環状要素中心軸線と自由接触端とを有する環状要素を更に備え、環状要素の自由接触端が、複数の半径方向に延びる開放溝を任意選択的に備える、飲料調製装置と、飲料調製装置の流体注入手段によって加圧下でカプセル内へ供給される流体により物質を抽出及び／又は溶解することによって飲用可能な飲料を調製するための物質を収容するカプセルであって、カプセルが、カプセル本体中心軸線を有するアルミニウムカプセル本体を備え、アルミニウムカプセル本体は、底部、側壁、及び外向きに延びるフランジを備え、カプセルが、外向きに延びるフランジに取り付けられたアルミニウム蓋を更に備え、蓋が、カプセルを密封して閉鎖し、カプセルが、外向きに延びるフランジに封止部材を更に備え、封止部材が、カプセルが飲料調製装置の囲み部材内に位置決めされ、囲み部材が飲料調製装置の閉じ部材によって閉鎖された場合、カプセルの外向きに延びるフランジ及びカプセルの封止部材の少なくとも一部分が、飲料調製装置の囲み部材と閉じ部材との間に封止的に係合されるように、飲料調製装置の囲み部材との流体封止接触をもたらす、カプセルとを備える。
【０００３】
更に、本発明は、カプセルを受け入れる囲み部材を備える飲料調製装置におけるカプセルの使用に関し、囲み部材は、加圧下で流体をカプセル内へ供給する流体注入手段を備え、飲料調製装置は、飲料調製装置の囲み部材を閉鎖する抽出プレートなどの閉じ部材を更に備え、飲料調製装置の囲み部材は、環状要素中心軸線と自由接触端とを有する環状要素を更に備え、環状要素の自由接触端は、複数の半径方向に延びる開放溝を任意選択的に備え、カプセルは、飲料調製装置の流体注入手段によって加圧下でカプセル内へ供給される流体により物質を抽出及び／又は溶解することによって飲用可能な飲料を調製するための物質を収容し、カプセルは、カプセル本体中心軸線を有するアルミニウムカプセル本体を備え、アルミニウムカプセル本体は、底部、側壁、及び外向きに延びるフランジを備え、カプセルは、外向きに延びるフランジに取り付けられたアルミニウム蓋を更に備え、蓋は、カプセルを密封して閉鎖し、カプセルは、外向きに延びるフランジに封止部材を更に備え、封止部材は、カプセルが飲料調製装置の囲み部材内に位置決めされ、囲み部材が飲料調製装置の閉じ部材によって閉鎖された場合、カプセルの外向きに延びるフランジ及びカプセルの封止部材の少なくとも一部分が、飲料調製装置の囲み部材と閉じ部材との間に封止的に係合されるように、飲料調製装置の囲み部材との流体封止接触をもたらす。
【背景技術】
【０００４】
そのようなカプセル、システム、及び使用は、欧州特許第１７００５４８（Ｂ１）号から知られている。公知のシステムにおいて、カプセルは、段差形状、すなわちカプセルの側壁の直径の急な増加を有する封止部材を備え、そしてこの公知のシステムの囲み部材は、封止部材にたわみを与えるように封止部材に作用する封止表面を有し、この封止表面は、この封止部材のたわみが段状の内側及び下側への変形となるように傾けられている。公知のシステムにおいて更に、囲み部材は、カプセルホルダと、囲み部材及びカプセルホルダの相対移動のための手動操作機構又は自動機構と、を備えている。手動操作機構又は自動機構は、囲み部材がカプセルホルダ上で閉じるときに、カプセルの封止部材に力を加える。この力は、囲み部材とカプセルとの間の流体密封を確実にするであろう。手動操作機構又は自動機構が基部に相対的に移動するように配置されているため、システムの封止能力は、流体注入手段によって注入される流体の圧力に依存し得る。流体の圧力が増加すると、カプセルの封止部材と囲み部材の自由端との間の力も増大し、それによりカプセルの封止部材と囲み部材の自由端との間の力もまた、増大する。係るシステムは後で説明される。カプセルの封止部材は、囲み部材内において最大流体圧に到達するときに、封止部材は囲み部材とカプセルとの間に流体封止接触をやはりもたらすべきであるように構成されていなければならない。しかしながら、封止部材はまた、淹出する前又は淹出開始時の、カプセルの外の囲み部材内の流体の圧力が比較的低いときに、封止部材がまた、囲み部材とカプセルとの間に流体封止接触をもたらすように構成されていなければならない。淹出開始時に、カプセルと囲み部材との間に流体封止接触が存在しない場合、漏れが生じる。しかしながら、もし漏れが生じると、手動操作機構又は自動機構が囲み部材をカプセルホルダの方へ移動させたときに、囲み部材の自由端による封止部材への力を増加させるための、囲み部材内及びカプセルの外側の圧力が、十分に上昇しないことが現実に生じる。十分な初期封止があるときにのみ、囲み部材内の圧力は増加し、それによりカプセルの封止部材上で作用する囲み部材の自由端の力は増加した流体圧でもまた十分な流体封止接触をもたらすように増加する。更に、こうして増大したカプセル外側の流体圧力はまた、カプセル内側の流体圧力も増大させる。これは、カプセル内の流体圧力の影響下で、飲料調製装置のカプセルホルダのリリーフ部材（抽出プレートとも呼ぶ）上に裂開するように配置された蓋が、カプセルに設けられている場合に重要である。
【０００５】
上記のことから、封止部材は設計上極めて重要な部材であるということになる。囲み部材の自由端によって比較的小さな力しか封止部材に加えられないときには、比較的低い流体圧で囲み部材とカプセルとの間に流体封止接触をもたらすことができるべきである。しかし、囲み部材の自由端によってカプセルの封止部材により強い力が加えられるときには、カプセルの外の囲み部材内に、遥かに高い流体圧で流体封止接触がもたらされるべきである。特に、囲み部材とカプセルホルダとの間の力が解放されると空気流入路として働き、それにより、使用者がより容易にカプセルを取り出せるようになる、半径方向に延びる開放溝を、囲み部材の自由接触端が備える場合、封止部材はまた、効果的な封止をもたらすために半径方向に延びる開放溝を「閉じる」ことができなければならない。
【０００６】
本発明の目的は、比較的容易に製造でき、カプセルが使用後に廃棄される場合に環境に優しく、かつ／又は半径方向に延びる開放溝が自由接触端に設けられた囲み部材の場合でも、囲み部材の自由端によって比較的小さい力が封止部材に加えられる場合の比較的低い流体圧力（場合により、初期封止とも呼ぶ）と、囲み部材の自由端によってよりも大きい力がカプセルの封止部材に加えられる場合（例えば、淹出中）の遥かに高い流体圧力との両方で、満足な密封を提供する、代替の封止部材を提供することである。
【０００７】
本発明はまた、カプセルから飲用可能な飲料を調製するための代替のシステムを提供する、及び飲料調製装置におけるカプセルの代替の使用を提供する、という目的も有する。
【０００８】
本発明によれば、第１の態様として、請求項１に記載のカプセルが提供される。
【０００９】
封止部材は、外向きに延びるフランジと一体であり、環状突起部を含み、環状突起部は、内側封止部材部分の半径方向外側に内側突起部足部からカプセル本体底部に向かって軸線方向に突出する突起部頂部と、外側フランジ部分の半径方向内側の外側突起部足部とを含み、外向きに延びるフランジは、内側突起部足部と側壁との間に環状トラフを含み、環状トラフは、外側突起部足部からカプセル本体の底部に向かって軸線方向に間隔が空いている底部を有するので、封止部材は、比較的容易に製造でき、半径方向に延びる開放溝を備えた自由接触端への満足な封止を提供する。特に、外側突起部足部からカプセル本体の底部に向かって軸線方向に間隔が空いている環状トラフの底部により、突起部の外側に対して閉じ部材の方へ底部を押すことが可能になり、突起部の傾き及び「逃げる（roll off）」ことにより突起部が内向きに押されて、それによって環状要素の自由接触端にかかる半径方向の接触圧力が増大し、満足な封止の実現に寄与する。
【００１０】
突起部の安定した支持のために、好ましくは、外側フランジ部分は、カプセル本体中心軸線を横断して、好ましくはそれに直交して配向される。更に、突起部の外壁は、好ましくは、カプセル本体中心軸線に対して１０°未満、より好ましくは５°未満の角度で、外側突起部足部から上向きに配向される。
【００１１】
この用途において、流体封止接触の存在とは、飲料を調製するための囲み部材に供給される流体の総量の０〜６％、好ましくは０〜４％、より好ましくは０〜２．５％が、自由接触端とカプセルの封止部材との間の漏れに起因して漏れ出る場合があることを意味する。
【００１２】
カプセル本体軸線を通る平面に沿って切り取った断面で見ると、トラフの底部は、好ましくは、連続して実質的に直線であり、又は突起部及び側壁への遷移部の曲率半径よりも大きい（例えば、少なくとも５倍若しくは１０倍の）曲率半径で湾曲しており、したがって突起部を内向き押すことに起因する反応力が効果的に伝達される。
【００１３】
トラフの底部の直線区分は、軸線方向成分がカプセル本体の底部の方を向いた状態で、外向き方向に傾斜しており、したがって実質的に直線又は軽度に湾曲している３Ｄで概ね円錐形の区分が、板ばね又はばねカラーとして効果的に作用し、その外側部分が、反軸線方向圧力を突起部に弾性的に作用させ、したがって軸線方向圧力が円周方向に均一に分散される。
【００１４】
トラフの底部の実質的に直線の区分は、好ましくは、カプセル本体軸線に垂直な平面に対して０〜１０度、より好ましくは３〜８度、又は４〜７度の内角で傾斜している。
【００１５】
カプセル本体軸線を通る平面に沿って切り取った断面で見ると、トラフの底部から突起部への遷移部は、好ましくは、傾斜区分の内側及び外側の隣接する湾曲区分よりも直線の傾斜区分を有する。これはまた、半径方向封止圧力の損失を招き得る突起部の外向きの動きを効果的に抑制することに寄与する。
【００１６】
傾斜区分は、好ましくは、カプセル本体軸線に垂直な平面に対して少なくとも１０°、より好ましくは少なくとも２０°、多くとも６０°、より好ましくは多くとも５０°の内角で配向される。
【００１７】
突起部の半径方向外壁は、好ましくは、カプセル本体軸線に対して８°未満、より好ましくは６°未満の内角で配向される。したがって、突起部の上部部分は、崩壊しないように効果的に支持され、深絞り動作と同様の突起部の内向きの「逃げ」が容易になる。同じ目的で、突起部の外側足部で、突起部から外向きに延びるフランジの半径方向外向きに突出する部分への遷移部の内径が、０．１５ｍｍ未満、好ましくは０．１２ｍｍ未満である場合、更に有利である。圧縮運動により、突起部の塑性座屈が誘起され、囲み部材の自由端に加えられる接触力が増大する。
【００１８】
好ましくは、外向きに延びるフランジは、１つの環状突起部だけを有し、環状突起部は、内側フランジ部分の半径方向外側に内側突起部足部から底部に向かって軸線方向に突出する突起部頂部と、外側フランジ部分の半径方向内側の外側突起部足部とを備える。したがって、特にカプセルをプレート材料から深絞りするとき、カプセル本体を効率的に製造することができる。
【００１９】
カプセルの一実施形態において、カプセルが、飲用可能な飲料の調製のための物質として抽出可能製品を含み、この抽出可能製品が、好ましくは５〜２０グラム、好ましくは５〜１０グラム、より好ましくは５〜７グラムの、焙煎され挽かれたコーヒーなどの抽出可能製品である場合に、本発明は特に有利である。
【００２０】
本発明に係る、特に製造が簡単なカプセルの一実施形態では、カプセルの外向きに延びるフランジの外径は、カプセルの底部の直径よりも大きい。好ましくは、外向きに延びるフランジの外径は約３７．１ｍｍであり、カプセルの底部の直径は約２３．３ｍｍである。
【００２１】
本発明は、カプセルの一実施形態において、アルミニウムカプセル本体の厚さが、カプセルが飲料調製装置の囲み部材内に位置決めされ、囲み部材が飲料調製装置の閉じ部材によって閉鎖された場合、容易に変形するようになっており、好ましくはアルミニウムカプセル本体の厚さが、２０〜２００マイクロメートル、好ましくは１００マイクロメートルであるとき、特に有利である。
【００２２】
カプセルの一実施形態において、アルミニウム蓋の厚さが１５〜６５マイクロメートルであり、好ましくは３０〜４５マイクロメートルであり、より好ましくは３９マイクロメートルである場合に、本発明は特に有利である。
【００２３】
本発明に係るカプセルの一実施形態では、アルミニウム蓋の壁厚は、アルミニウムカプセル本体の壁厚よりも薄い。
【００２４】
本発明に係るカプセルの更なる実施形態では、アルミニウム蓋は、カプセル内の流体圧の影響下で、飲料調製装置の抽出プレートなどの飲料調製装置の閉じ部材上で裂開されるように構成されている。
【００２５】
特に容易に製造できる本発明によるカプセルの一実施形態では、アルミニウムカプセル本体の側壁は、底部の反対側にある自由端を有し、外向きに延びるフランジは、カプセル本体中心軸線を少なくとも実質的に横断する方向に側壁の自由端から延びる。好ましくは、外向きに延びるフランジは、丸められた外縁部を備え、半径方向に延びる開放溝を備えた自由接触端との満足な封止を得るのに有益である。外向きに延びるフランジの丸められた外縁部の内縁部のカプセル本体中心軸線の周りの半径は、好ましくは少なくとも３２ｍｍであり、したがって囲み部材の環状端面からの隙間が確保される。次いで、封止部材は、更に満足な封止を得るために、アルミニウムカプセル本体の側壁の自由端と、外向きに延びるフランジの丸められた外縁部の内縁部との間に位置決めされることが好ましい。
【００２６】
丸められた外縁部が、多種多様な、市販の及び将来の飲料調製装置の動作を妨害しないことを確実にするために、外向きに延びるフランジの丸められた外縁部は、約１．２ミリメートルの最大寸法を有する。
【００２７】
本発明は、アルミニウムカプセル本体の側壁の自由端の内径が約２９．５ｍｍであるカプセルにとって特に有益である。アルミニウムカプセル本体の側壁の自由端と外向きに延びるフランジの最外縁部との間の距離は、約３．８ミリメートルとすることができる。アルミニウムカプセル本体の好ましい高さは、約２８．４ｍｍである。
【００２８】
使用後に使用者が飲料調製装置からより簡単に取り出せる本発明に係るカプセルの一実施形態では、アルミニウムカプセル本体は切頭形であり、好ましくはアルミニウムカプセル本体の側壁は、カプセル本体中心軸線を横断する線に対して約９７．５°の角度を形成している。
【００２９】
本発明によるカプセルの有利な実施形態では、アルミニウムカプセル本体の底部の最大内径は約２３．３ｍｍである。アルミニウムカプセル本体の底部は切頭形であり、好ましくは底部高さが約４．０ｍｍであり、底部は、蓋の反対側にある直径約８．３ｍｍの概ね平坦の中心部分を更に有することが好ましい。
【００３０】
包囲部材が閉じたときに包囲部材の自由端に最初に接触する封止部材部分の高さが少なくとも約０．１ｍｍ、より好ましくは少なくとも０．２ｍｍ、及び最も好ましくは少なくとも０．８ｍｍで、最大３ｍｍ、より好ましくは最大２ｍｍ、及び最も好ましくは最大１．２ｍｍである、本発明に係るカプセルの一実施形態において、実質的にすべての場合で良好な封止を得ることができる。
【００３１】
本発明に係るカプセルの好ましい実施形態では、カプセルは内側表面を備え、カプセルの少なくとも側壁の内側表面に、内側コーティングが施される。特に、カプセルが深絞りによって製造される場合、内側コーティングにより、深絞り成形法が容易になる。カプセルのアルミニウム蓋が封止ラッカによって外向きに延びるフランジに取り付けられている場合に、この内側コーティングが封止ラッカと同一の材料で構成されていると、特に有利である。封止部材から内側コーティングが崩壊しないようにするために、使用する内側コーティングによっては、封止部材に内側コーティングがないことが好ましい。
【００３２】
本発明に係るカプセルの更なる実施形態では、カプセルは外側表面を備え、カプセルの外側表面上には、カラーラッカが施される。深絞りを容易にするために、カラーラッカの外側表面上に外側コーティングを設けることが好ましい。封止部材からカラーラッカ／外側コーティングが崩壊しないようにするために、使用されるカラーラッカ及び外側コーティングによっては、封止部材がカラーラッカ（及び結果として外側コーティング）を有さないことが好ましい。
【００３３】
突起部、アルミニウムカプセル本体の側壁、及びトラフの底部は、カプセルが飲料調製装置の囲み部材内に位置決めされ、囲み部材が飲料調製装置の閉じ部材によって閉鎖された場合、環状要素の自由接触端がトラフの底部に接触するように配置することができる。
【００３４】
確実な封止を実現するために、突起部が、直径３１．９〜３２．４ｍｍでカプセル軸線の周りに延びる極限頂端を有する場合も有利である。したがって、Ｃｉｔｉｚ、Ｌａｔｔｉｓｉｍａ、Ｕ、Ｍａｅｓｔｒｉａ、Ｐｉｘｉｅ、Ｉｎｉｓｓｉａ、及びＥｓｓｅｎｚａなどの市販のコーヒー準備装置で使用されるとき、囲み部材の自由端の外縁領域は、突起部にしっかりと押圧される。
【００３５】
本発明によれば、第２の態様として、請求項５１に記載の飲用可能な飲料を調製するためのシステムが提供される。
【００３６】
トラフの半径方向幅は、好ましくは、環状要素の自由接触端部分の半径方向の厚さよりも実質的に大きく、したがって環状要素の自由接触端部分とカプセル本体の側壁との間に隙間が残る。このため、軸線方向の全ての力が、囲み部材と封止部材との間の封止を生成するために利用可能となることが、保証される。
【００３７】
突起部頂部は、突起部の足部から軸線方向において最も遠位にある、突起部の例えば半分、３分の１、又は４分の１の部分を構成し得る。
【００３８】
カプセルに関する従属請求項の特徴と同じ特徴に関する、従属請求項に記載されたようなシステムの好ましい実施形態に関しては、上記が参照される。
【００３９】
本発明は、使用中に飲料調製装置の囲み部材内の最大流体圧が６〜２０バール、好ましくは１２〜１８バールの範囲内にある、本発明に係るシステムにおいて使用するのに特に好適である。このような高圧であっても、カプセルと飲料調製装置との間に十分な封止が得られ得る。
【００４０】
システムは好ましくは、使用中、淹出中に、カプセルの外向きに延びるフランジと飲料調製装置の囲み部材との間に流体封止接触をもたらすように、飲料調製装置の囲み部材の自由端がカプセルの封止部材に力Ｆ２をかけるように構成されており、カプセルの外での飲料調製装置の囲み部材内の流体圧Ｐ２が６〜２０バール、好ましくは１２〜１８バールの範囲内にあるときに、Ｆ２は５００〜１５００Ｎの範囲内にあり、好ましくは７５０〜１２５０Ｎの範囲内にある。特に、システムは、使用中、淹出する前又は淹出開始時に、カプセルの外向きに延びるフランジと飲料調製装置の囲み部材との間に流体封止接触をもたらすように、飲料調製装置の囲み部材の自由端がカプセルの封止部材に力Ｆ１をかけるように構成されており、カプセルの外での飲料調製装置の囲み部材内の流体圧Ｐ１が０．１〜４バール、好ましくは０．１〜１バールの範囲内にあるときに、Ｆ１は、３０〜１５０Ｎ、好ましくは４０〜１５０Ｎ、より好ましくは５０〜１００Ｎの範囲内にある。
【００４１】
本発明に係るシステムの一実施形態において、カプセルと飲料調製装置との間の十分な封止を依然としてもたらし得ながら、使用者がより簡単にカプセルを取り出せるように、半径方向に延びる複数の開放溝は、飲料調製装置の環状要素の自由接触端の接線方向に、互いに対して均一に間隔を空けて配置される。
【００４２】
本発明に係るシステムの有利な実施形態において、各溝の最大の接線方向の幅（頂部と頂部、すなわち溝と溝とのピッチに等しい）は、０．９〜１．１ｍｍ、好ましくは０．９５〜１．０５ｍｍ、より好ましくは０．９８〜１．０２ｍｍであり、飲料調製装置の囲み部材の軸線方向における各溝の最大高さは、０．０１〜０．０９ｍｍ、好ましくは０．０３〜０．０７ｍｍ、より好ましくは０．０４５〜０．０５５ｍｍ、最も好ましくは０．０５ｍｍであり、溝の数は９０〜１１０本、好ましくは９６本である。溝の位置における環状端面の半径方向幅は、例えば０．０５〜０．９ｍｍ、好ましくは０．２〜０．７ｍｍ、より好ましくは０．３〜０．５５ｍｍとすることができる。本発明は、本発明によるシステムの一実施形態に適用されるとき、使用中、飲料調製装置の閉じ部材が飲料調製装置の囲み部材を閉鎖するとき、少なくとも飲料調製装置の囲み部材の自由接触端が、飲料調製装置の閉じ部材の方への飲料調製装置の囲み部材内の流体の圧力の影響下で、カプセルのフランジと飲料調製装置の囲み部材の自由端との間に最大の力を加えるように、飲料調製装置の閉じ部材に対して動くことができるとき、特に好適である。囲み部材は、第１の部分と第２の部分とを含んでもよく、第２の部分は、囲み部材の自由接触端を含み、第２の部分が、第１の位置と第２の位置との間で第１の部分に対して動くことができる。第２の部分は、囲み部材内の流体圧の影響下で閉じ部材の方向に第１の位置から第２の位置の方へ動くことができる。上述の力Ｆ１は、第２の部分が流体圧Ｐ１で第１の位置にあるときに達成され得る。上述の力Ｆ２は、第２の部分が囲み部材内の流体圧Ｐ２の影響下で第２の位置に向かって動かされるときに達成され得る。
【００４３】
本発明によれば、第３の態様として、請求項６３に記載の発明に係るカプセルの使用が提供される。
【００４４】
本発明の特定の実施形態は、従属請求項に記載されている。カプセルに関する従属請求項又はシステムに関する従属請求項の特徴と同じ特徴に関する、新規な使用の利点及び従属請求項に記載されたような使用の好ましい実施形態に関しては、上記が参照される。
【図面の簡単な説明】
【００４５】
本発明の更なる特徴、詳細、及び効果は、図面を参照して非限定的な例によって、以下で更に明らかにされる。
【図１】本発明に係るシステムの一実施形態の概略図である。
【図２】半径方向に延びる複数の開放溝を備えた飲料調製装置の囲み部材の自由接触端を示す、本発明に係るシステムの飲料調製装置の一実施形態を示す斜視図である。
【図３Ａ】使用前の本発明に係るカプセルの一実施形態を示す概略断面図である。
【図３Ｂ】図３Ａのカプセルの拡大詳細図を概略的に示し、外向きに延びるフランジ及び封止部材を示す図である。
【図３Ｃ】使用後の図３Ａ及び図３Ｂにおけるカプセルの外向きに延びるフランジの拡大詳細図を概略的に示す図である。
【図４Ａ】飲料準備装置の囲み部材及び閉じ部材の端部部分と組み合わせた、本発明によるカプセルの外向きに延びるフランジにある封止部材の一実施形態の拡大断面図である。
【図４Ｂ】囲み部材及び閉じ部材が閉鎖位置にある、図４Ａによる断面図である。
【図５】囲み部材の自由端の内側リムと外側リムとの間に架橋部が存在する、変形されたフランジ部分及び囲み部材の一部分の概略断面図である。
【図６】飲料準備装置の囲み部材及び閉じ部材の端部部分と組み合わせた、本発明によるカプセルの外向きに延びるフランジにある封止部材の第２の実施形態の拡大断面図である。
【図７】飲料準備装置の囲み部材及び閉じ部材の端部部分と組み合わせた、本発明によるカプセルの外向きに延びるフランジにある封止部材の第３の実施形態の拡大断面図である。
【発明を実施するための形態】
【００４６】
図面及び以下の説明では、同様の参照番号は、同様の特徴を指す。
【００４７】
図１は、加圧下でカプセル内に供給された流体を使用してカプセルから飲用可能な飲料を調製するためのシステム１の一実施形態の概略断面図である。システム１は、カプセル２と、飲料調製装置４とを備えている。装置４は、カプセル２を保持するための囲み部材６を含む。装置４は、カプセル２を支持するための閉じ部材、例えば抽出プレート８を更に備えている。
【００４８】
図１では、明瞭にするために、カプセル２と囲み部材６と抽出プレート８との間に間隙が描かれている。使用中、カプセル２は、囲み部材６及び抽出プレート部材８に接触することができることが理解されよう。一般的には、囲み部材６は、カプセル２の形状に補完的な形状を有する。飲料調製装置４は、ある量の水などの流体を、６〜２０バール、好ましくは１２〜１８バールの範囲内の加圧下で、交換可能なカプセル２に供給するための流体注入手段１０を更に備えている。
【００４９】
図１に示された例において、交換可能なカプセル２は、カプセル本体中心軸線１２Ａ及びアルミニウム蓋１４を有するアルミニウムカプセル本体１２を備えている。本文脈において、「アルミニウム」の意味は、アルミニウム合金をも含むと理解される。本例では、アルミニウムカプセル本体１２は、側壁１６、第１の端部で側壁１６を閉じる底部１８、及び底部１８とは反対側の第２の端部で周囲壁１６から外向きに延びる外向きに延びるフランジ２０を備えている。側壁１６、底部１８、及び蓋１４は内部空間２２を取り囲み、内部空間２２は、抽出及び／又は溶解することによって飲用可能な飲料を調製するための物質を含んでいる。好ましくは、物質は、飲用可能な飲料を調製するための抽出可能製品であり、抽出可能製品は、一杯の飲料の調製のための、好ましくは５〜２０グラム、好ましくは５〜１０グラム、より好ましくは５〜７グラムの、焙煎され挽かれたコーヒーである。カプセルは、最初に封止されている、すなわち使用前は密封して閉じられている。
【００５０】
図１のシステム１は、底部１８に少なくとも１つの入口開口部２５を作るようにカプセル２の底部１８を穿孔し、入口開口部２５を介して流体を抽出可能製品に供給するための底部穿孔手段２４を備えている。
【００５１】
図１のシステム１は、カプセル２の蓋１４を穿孔するために、蓋穿孔手段２６（ここでは閉じ部材８の突起部として具現化されている）を更に備えている。蓋穿孔手段２６は、一度内部空間２２内部の（流体）圧力が閾値圧を超え、蓋１４を蓋穿孔手段２６に対して十分な力で押圧することで蓋１４が裂開するように構成され得る。こうして、アルミニウム蓋１４は、カプセル内の流体圧の影響下で、飲料調製装置の閉じ部材８上で裂開するように構成されている。
【００５２】
カプセル２は、外向きに延びるフランジと一体の封止部材２８を更に備えており（図１、図３Ａ、及び図３Ｂでは一般的なボックスとして示されているが、図４を参照してより詳細に記載される）、封止部材２８は、カプセル２が囲み部材６内に位置決めされ、囲み部材６が抽出プレート８によって閉じられるときに、カプセル２の外向きに延びるフランジ２０と、封止部材２８の少なくとも一部分とが、囲み部材６と抽出プレート８との間に封止係合するように、囲み部材６との流体封止接触をもたらすように構成されている。これは、封止部材２８と自由接触端との間の流体封止接触が確立されることを意味する。
【００５３】
図２に示すように、飲料調製装置の囲み部材６は、環状要素中心軸線４１Ａと自由接触端３０とを有する環状要素４１を備えている。環状要素４１の自由接触端３０は、半径方向に延びる複数の開放溝４０を備えている。半径方向に延びる複数の開放溝４０は、環状要素４１の自由接触端３０の接線方向に、互いに対して均一に間隔を空けて配置されている。各溝４０の最も長い接線方向幅は、０．９〜１．１ｍｍ、好ましくは０．９５〜１．０５ｍｍ、より好ましくは０．９８〜１．０２ｍｍであり、囲み部材６の軸線方向における各溝４０の最大高さは、０．０１〜０．０９ｍｍ、好ましくは０．０３〜０．０７ｍｍ、より好ましくは０．０４５〜０．０５５ｍｍ、最も好ましくは０．０５ｍｍである。溝４０の数は、９０〜１１０本の範囲内、好ましくは９６本である。通常、溝の位置での自由端の半径方向の幅は、０．０５〜０．９ｍｍ、より具体的には０．２〜０．７ｍｍ、より具体的には０．３〜０．５５ｍｍである。
【００５４】
本発明に係るカプセルの一実施形態を、図３Ａ及び図３Ｂにより詳細に示している。図示の実施形態では、外向きに延びるフランジ２０の外径ＯＤＦは、カプセル２の底部１８の直径ＤＢよりも大きい。図示の実施形態では、外向きに延びるフランジ２０の外径ＯＤＦは約３７．１ｍｍであり、底部１８の直径ＤＢは約２３．３ｍｍである。アルミニウムカプセル本体１２の厚さは、カプセルが飲料調製装置の囲み部材内に位置決めされ、囲み部材が飲料調製装置の閉じ部材によって閉鎖された場合、容易に変形するようになっており、好ましくはアルミニウムカプセル本体の厚さは１００マイクロメートルであるが、他の実施形態では、厚さは２０〜２００マイクロメートルとすることができる。
【００５５】
図示の実施形態では、アルミニウム蓋１４の壁厚は３９マイクロメートルである。好ましくは、アルミニウム蓋１４の壁厚は、アルミニウムカプセル本体１２の厚さよりも薄い。
【００５６】
アルミニウムカプセル本体１２の側壁１６は、底部１８とは反対側にある自由端４２を有する。アルミニウムカプセル本体１２の側壁１６の自由端４２の内径ＩＤＦは約２９．５ｍｍである。外向きに延びるフランジ２０は、カプセル本体中心軸線１２Ａを少なくとも実質的に横断する方向にその自由端４２から延びる。外向きに延びるフランジ２０は、カプセルと囲み部材との間で封止を得るのに有益な丸められた外縁部４３を含む。図示の実施形態では、外向きに延びるフランジ２０の丸められた外縁部４３の最大寸法は、約１．２ミリメートルである。アルミニウムカプセル本体１２の側壁１６の自由端４２と丸められた外縁部４３の内縁部４３Ａとの間の距離ＤＩＦは約２．７ｍｍであるが、一方、アルミニウムカプセル本体１２の側壁１６の自由端４２と外向きに延びるフランジ２０の最外縁部４３Ｂとの間の距離ＤＯＦは約３．８ミリメートルである。丸められた外縁部４３の内縁部４３Ａの、カプセル本体中心軸線を中心とした半径は、好ましくは少なくとも３２ｍｍである。
【００５７】
図３Ａ及び図３Ｂに示すように、封止部材２８は、アルミニウムカプセル本体１２の側壁１６の自由端と外向きに延びるフランジの丸められた外縁部４２の内縁部４３Ａとの間に位置決めされている。封止部材２８は一般的なボックスとして示されているが、以下でより詳細に説明される。封止部材２８の実施形態にかかわらず、包囲部材が閉じたときに、正しい封止を提供するための包囲部材の自由端に最初に接触する封止部材部分の高さは、少なくとも約０．１ｍｍ、より好ましくは少なくとも０．２ｍｍ、及び最も好ましくは少なくとも０．８ｍｍで、最大３ｍｍ、より好ましくは最大２ｍｍ、及び最も好ましくは最大１．２ｍｍである。
【００５８】
図３Ａから分かるように、アルミニウムカプセル本体１２は切頭形である。示された実施形態では、アルミニウムカプセル本体１２の側壁１６は、カプセル本体中心軸線１２Ａを横断する線に対して約９７．５°の角度Ａを形成している。アルミニウムカプセル本体１２の底部１８の最大内径ＤＢは約２３．３ｍｍである。アルミニウムカプセル本体１２の底部１８もまた切頭形であり、図示の実施形態では、底部高さＢＨは約４．０ｍｍである。底部１８は、蓋１４の反対側に概ね平坦の中心部分１８Ａを更に有し、中心部分１８Ａの直径ＤＥＥは約８．３ｍｍであり、中心部分１８Ａ内に入口開口部２５を形成することができる。入口開口部はまた、中心部分１８Ａと側壁１６との間の切頭部分に設けられてもよい。カプセルのアルミニウムカプセル本体１２の全高ＴＨは、約２８．４ｍｍである。
【００５９】
図１に示すシステム１は、一杯の飲用可能な飲料（本例においてはコーヒーであり、物質は焙煎され挽かれたコーヒーである）を調製するために、以下のように操作される。
【００６０】
カプセル２を、囲み部材６内に置く。抽出プレート８を、カプセル２と接触させる。底部穿孔手段２４は、入口開口部２５を作るようにカプセル２の底部１８を穿孔する。流体（ここでは加圧下の熱湯）が、入口開口部２５を介して内部空間２２内の抽出可能製品に供給される。挽かれたコーヒーを湯で湿らせ、所望の物質を抽出してコーヒー飲料を形成する。
【００６１】
内部空間２２に加圧下で水が供給される間に、カプセル２内部の圧力は上昇する。圧力の上昇により蓋１４が変形し、抽出プレートの蓋穿孔手段２６に押し付けられる。一度圧力があるレベルに達すると、蓋１４の引裂き強度を上回り、蓋１４は蓋穿孔手段２６とぶつかって断裂し、出口開口部を作る。調製されたコーヒーは、抽出プレート８の出口開口部及び出口３２（図１を参照）を通じてカプセル２から排出され、カップなどの容器（図示せず）に供給され得る。
【００６２】
システム１は、淹出する前又は淹出開始時に、囲み部材６の自由端３０が、カプセル２の外向きに延びるフランジ２０と飲料調製装置の囲み部材６との間に流体封止接触をもたらすように、カプセル２の封止部材２８上に力Ｆ１をかけるように構成されており、カプセルの外の飲料調製装置の囲み部材内の流体圧Ｐ１が０．１〜４バール、好ましくは０．１〜１バールの範囲内にあるとき、Ｆ１は、３０〜１５０Ｎ、好ましくは４０〜１５０Ｎ、より好ましくは５０〜１００Ｎの範囲内にある。淹出中、囲み部材６の自由端３０は、カプセル２の外向きに延びるフランジ２０と囲み部材６との間に流体封止接触をもたらすようにカプセル２の封止部材２８上に力Ｆ２をかける。ここで、カプセル２の外の飲料調製装置の囲み部材６内の流体圧Ｐ２が６〜２０バール、好ましくは１２〜１８バールの範囲内にあるとき、Ｆ２は、５００〜１５００Ｎの範囲内にあり、好ましくは７５０〜１２５０Ｎの範囲内にある。図示の実施形態では、囲み部材６の自由接触端は、外向きに延びるフランジ２０と囲み部材６の自由端３０との間に最大の力Ｆ２を加えるための、囲み部材６装置内の流体の抽出プレート８への圧力の影響下で、抽出プレート８に対して動くことができる。この移動は、使用中、すなわち特に淹出開始時及び淹出中に起こり得る。囲み部材６は、第１の部分６Ａと第２の部分６Ｂとを有し、第２の部分は、自由接触端３０を含む。第２の部分６Ｂは、第１の位置と第２の位置との間で第１の部分６Ａに対して動くことができる。第２の部分６Ｂは、囲み部材６内の流体圧の影響下で閉じ部材８の方向において第１の位置から第２の位置方へ動くことができる。上述の力Ｆ１は、第２の部分６Ｂが流体圧Ｐ１を伴って第１の位置にあるときに達成し得る。上述の力Ｆ２は、第２の部分６Ｂが囲み部材６内の流体圧Ｐ２の影響下にある第２の位置に向かって動かされるときに達成し得る。
【００６３】
加えられた力の結果として、本発明に係るカプセルの封止部材２８は、塑性変形を受け、自由接触端３０の溝４０に密接に追従し、これにより淹出開始時には比較的低い流体圧で囲み部材６とカプセル３との間に流体封止接触をもたらすが、淹出中はカプセルの外側の囲み部材内の遥かに高い流体圧でもまた、流体封止接触をもたらす。囲み部材の溝４０に対する密接な追従が、使用後の本発明のカプセル２を示す図３Ｃに示されており、本図は外向きに延びるフランジ２０が、囲み部材の溝４０に追従する変形部４０’を含むことを明瞭に示している。
【００６４】
本発明によるカプセル２の外向きに延びるフランジ２０に封止部材２８が位置する実施形態について、図４に関してより詳細に次に説明する。
【００６５】
図４Ａは、封止部材２８がカプセル本体１２の外向きに延びるフランジ２０に追加の支承部を形成する第１の実施形態を示す。封止部材２８及びカプセル本体１２の残部は同じプレート材料で作られる。封止部材２８は、内側足部部分５３及び外側足部部分５４から軸線方向５５にカプセル本体１２の底部に向かって軸線方向に突出する突起部５０を有する。底部５２を有するトラフが、突起部５０に内向きに隣接して位置する。トラフの底部５２は、カプセル本体１２の底部の方向５５に突起部５０の外側足部５４から、また外向きに延びるフランジ２０のうち封止部材２８と丸められた縁部４３との間に位置する部分５６から、軸線方向に距離を空けて位置決めされており、実質的に平坦である。
【００６６】
更に、トラフの突起部５０及び底部５２は、カプセルが飲料調製装置の囲み部材内に位置決めされ、囲み部材が閉鎖された場合、環状要素４１の自由接触端３０がトラフの底部５２によって接触されるように配置される。
【００６７】
突起部５０とカプセル本体１２の側壁１６との間の距離は、好ましくは０．９〜１．２５ｍｍであり、これにより、広く使用されている市販の飲料調製装置（Ｃｉｔｉｚ、Ｌａｔｔｉｓｉｍａ、Ｕ、Ｍａｅｓｔｒｉａ、Ｐｉｘｉｅ、Ｉｎｉｓｓｉａ、及びＥｓｓｅｎｚａなど）の囲み部材６の内側隆起６０が、側壁１６が密接した状態で突起部５０に対して確実に圧搾されるが、側壁１６からわずかに間隔が空いていることが可能になる。
【００６８】
突起部５０は、突起部５０の足部５３、５４から軸線方向において最も遠位にある、突起部の例えば半分、３分の１、又は４分の１の部分を構成する、突起部頂部を有する。突起部５０は、カプセルが飲料調製装置の囲み部材６内に位置決めされ、囲み部材が飲料調製装置の閉じ部材８によって閉鎖された場合、その突起部頂部が環状要素４１の自由接触端３０に半径方向の力をかけるように構成される。
【００６９】
図４Ｂに示すように、囲み部材６と閉じ部材８との間にカプセルの封止部材２８が位置する状態で、囲み部材６及び／又は閉じ部材８が他方の方へ動かされた場合、囲み部材６の自由接触端３０は突起部５０に接触する。これにより、カプセルが囲み部材６に対して中心に位置合わせされる。突起部５０の剛性が比較的大きいことで、変形する際、大きい接触力をかけることが可能になり、逆圧が比較的大きいことで、大きい圧力抵抗を伴う特に確実な封止が提供される。また、突起部５０が外向きに付勢されると、加えられた負荷に突起部５０内のフープ応力が反対にかかり、これが円周方向に均一に分散され、したがって均一に分散された封止圧力が実現される。
【００７０】
同じく図４Ｂを見ると分かるように、囲み部材６の自由接触端３０は、内周面部分７１と、突起部５０に接触する外周面部分７０とを有する。半径方向に延びる開放溝４０は、外面部分７０内よりも内面部分７１内で深くなっており、又は外面部分７０にはこれらの溝がなくてもよい。したがって、突起部５０は、自由接触端３０の比較的平滑な外面部分７０に対して堅固かつ正確に押圧される。
【００７１】
図４Ｂを見ると分かるように、環状トラフの底部５２は、外側突起部足部５４から軸線方向５５にカプセル本体１２の底部に向かって軸線方向に間隔が空いているので、突起部の外側足部５４に対して閉じ部材８の方へ底部５２を押すことができ、突起部５０の傾き及び「逃げ」により突起部５０が内向き押されて、それによって環状要素４１の自由接触端３０にかかる半径方向の接触圧力が増大する。
【００７２】
環状要素６と封止部材２８との間の接触が確立される第１の段階で、突起部５０の概ね内向きの表面部分と環状要素６の自由端３０の外面部分７０との間に、初期封止が形成される。突起部５０のこの内向きの表面部分の半径方向位置及び突起部５０の局所曲率半径は、互いに接触するこれらの面がほぼ垂直に配向されることを確実にするように配置される。これにより、非常に強いくさび効果を実現することが可能になり、したがって非常に小さい垂直方向の閉鎖力が、非常に大きい水平方向の接触圧力をもたらす。表面接触によって生成される反応力が主に突起部５０内のフープ応力によって抑制されるため、これらの大きい水平方向の力は、外側突起部５０をほとんど変形させることなく作用する。また、そのようなフープ応力は、残りの封止部材２８からほとんど独立しており、したがって大きい密封力をかける大きい剛性と、カプセルの公差及び誤配置に対応する適応性とを組み合わせることができる。
【００７３】
第２の段階で、密封リング上への淹出チャンバの閉鎖及び更なる圧縮が、液圧の蓄積によって支持される。図４Ｂに示すように、圧縮力が蓄積されるにつれて、環状トラフの底部５２は、機械及び液圧による負荷によって下方へ押され、突起部５０は、突起部５０の外側足部５４の周りで旋回し、内向きに逃げて、環状トラフ５５の底部５２が蓋に接触する。こうして旋回し、逃げた動きの結果、封止部材２８の「剛体」タイプの運動と、封止部材の形状の変形との両方が生じ、更にこれら両方の要因の結果、接触圧力が主密封面へ伝達される。変形の大部分は塑性的に生じるので、接触領域はエリアを封止することに事実上追従し、ある程度の位置のずれ及び製造公差に対処することを可能にする。
【００７４】
第３段階では、軸線方向（ここでは垂直方向）の力の更なる増大により、封止部材２８が更に僅かに変形することになる。本実施形態では、トラフの突起部５０から底部５２への遷移部を形成する内側突起部足部５３の傾斜区分５８の変形によって、大きい接触圧力での大きい圧力降下でも確実に非常に漏れにくい封止が得られ、区分５８は、トラフの底部５２及び外側突起部５０のより湾曲した区分同士の間に、比較的直線の区分を構成する。そのような変形の結果、突起部５０と環状要素６の自由端３０の外面部分７０との間の狭い線に沿って、特に大きい接触圧力が得られる。傾斜区分５８は、好ましくは、カプセル本体軸線に垂直な平面に対して少なくとも１０°、より好ましくは少なくとも２０°、多くとも６０°、より好ましくは多くとも５０°の内角で配向される。
【００７５】
カプセル本体軸線を通る平面に沿って切り取った断面で見ると、トラフの底部５２は、連続して実質的に直線であり、したがって突起部５０を内向き押すことに起因する反応力が効果的に伝達される。
【００７６】
わずかに湾曲していることもあるトラフの底部５２の直線区分は、軸線方向成分５５がカプセル本体１２の底部の方を向いた状態で、外向き方向に傾斜しており、したがって直線の事実上円錐形の区分が、板ばね又はばねカラーとして効果的に作用し、その外側部分が、反軸線方向圧力を突起部５０に弾性的に作用させ、したがって軸線方向圧力が円周方向に均一に分散される。トラフの底部５２の実質的に直線の区分は、好ましくは、カプセル本体軸線に垂直な平面に対して０〜１０度の内角で傾斜している。
【００７７】
この例では、トラフの底部５２は、突起部５０の外側で環状フランジ部分に取り付けられた蓋１４から軸線方向に間隔が空いている。この（好ましくはアルミニウムの）蓋１４はまた、囲み部材６の自由端３０によって突起部５０にかかる半径方向外向きへの力に対して、突起部５０を軸線方向内向きに保持するのに寄与する。この効果はまた、蓋がトラフの底部に取り付けられている場合に実現することができ、それによって突起部は、囲み部材６の自由端３０によって突起部にかかる半径方向外向きへの力に対して、軸線方向内向きに更に保持される。後者の解決策の利点は、カプセル内側の物質がトラフの底部と蓋との間に入ることが防止されることである。
【００７８】
突起部５０の半径方向外壁は、カプセル本体軸線に対して実質的に平行に配向され、したがって突起部５０の上部部分は、崩壊から効果的に支持され、深絞り動作と同様の突起部５０の内向きの「逃げ」が容易になる。同じ目的で、突起部５０の外側足部５３で、突起部から外向きに延びるフランジ２０の半径方向外向きに突出する部分５６への遷移部の内径が小さい場合、例えば０．１５ｍｍ未満、好ましくは０．１２ｍｍ未満である場合、更に有利である。
【００７９】
外向きに延びるフランジ２０は、１つの環状突起部だけを有するので、特にカプセルをプレート材料から深絞りするとき、カプセル本体１２を効率的に製造することができる。
【００８０】
特に環状要素６及び封止部材２８の最終的な相互変位に関連して、特定の問題は、実際には、ほとんどの環状要素が環状要素４１の外側隆起５９と内側隆起６０との間に１つ以上架橋部６１（図５）を有することである。そのような架橋部６１は、環状ヘッド空間６２の中断部を構成し、第３の段階中、その中に突起部５０が押し込まれる。突起部５０は半径方向外向きへ逃げて座屈するような形状であるので、特に円周方向に架橋部６１が開始及び終了する遷移部での漏れが減少し、したがって余分な封止部材材料は、突起部５０と環状要素６との間の封止から局所的に変位し、それによってこの封止との干渉が低減し、架橋部６１の下を通る線に沿って実質的に連続する封止が可能になる。
【００８１】
図６に、本発明によるカプセル第２の例を示す。側壁１１６は、側壁１１６のうち肩部１５７よりも上の上部部分１５８と、側壁１１６のうち肩部１５７よりも下の下部部分１５９との間に、心出し肩部１５７を備える。側壁１１６の下部部分１５８は、突起部１５０の反対側に半径方向内向きに位置する。肩部１５７は、カプセル本体中心軸線に対して、カプセル本体中心軸線と上部側壁部分１５８及び下部側壁部分１５９との間の角度Ｃ及びＤよりも大きい角度Ｂで配向された、斜め外向き上方を向いた肩部面を有する。
【００８２】
肩部１５７の外向き上方を向いた表面は、好ましくは、カプセル本体中心軸線に対して、少なくとも３０°、より好ましくは少なくとも４０°の角度Ｂで配向され、したがってカプセル１０２に対する環状要素１４１の自由接触端１３０の制限された軸線方向変位で、実質的な距離にわたってカプセル１０２の移動を実現することができる。
【００８３】
図７には、本発明によるカプセル２０２の第３の例を示し、カプセル２０２は、第１の例に示すように、カプセル本体軸線を通る平面に沿って切り取った断面で見ると、トラフの底部２５２が連続して実質的に直線であり、わずかに湾曲していることもあるトラフの底部２５２の直線区分が、軸線方向成分２５５がカプセル本体２１２の底部の方を向いた状態で、外向き方向に傾斜している点で、図６に示すカプセルとは異なる。
【００８４】
ここまでの明細書では、本発明は、本発明の実施形態の具体例を参照して説明されてきた。しかしながら、添付の特許請求の範囲に記載されている本発明の広い趣旨及び範囲から逸脱することなしに、様々な修正及び変更を行うことができることは明白であろう。
【図１】
2019534750.tif 000002
【図２】
2019534750.tif 000003
【図３Ａ】
2019534750.tif 000004
【図３Ｂ】
2019534750.tif 000005
【図３Ｃ】
2019534750.tif 000006
【図４Ａ】
2019534750.tif 000007
【図４Ｂ】
2019534750.tif 000008
【図５】
2019534750.tif 000009
【図６】
2019534750.tif 000010
【図７】
2019534750.tif 000011
【国際調査報告】
2019534750.tif 000012
2019534750.tif 000013
2019534750.tif 000014
2019534750.tif 000015
2019534750.tif 000016